(57)【要約】【課題】着用者の動作をスムーズにさせ、動作を美しく見せることができる下半身衣類を提供する。【解決手段】下半身衣類１Ａでは、着用状態において本体部２が伸縮起点部３Ａを起点として伸びるため、本体部２が伸縮起点部３Ａに向かって縮もうとする力によって着用者の皮膚を動かすことができる。下半身衣類１Ａでは、第１の起点部３ａ及び第２の起点部３ｂの作用により、股関節及び膝関節の動きがスムーズになり、着用者の体が上方に跳ね上がる動きを抑制できる。また、下半身衣類１Ａでは、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。【選択図】図１
2013199710.tif 000002
【特許請求の範囲】
【請求項１】
伸縮性を有する素材によって形成され、着用者の下半身のうち大腿部及び脛部の少なくとも一方の部位の皮膚に密着し、前記皮膚を伸縮方向に付勢する本体部と、
前記本体部よりも相対的に低い伸縮性を有し、着用状態において前記本体部の伸縮の起点となる伸縮起点部と、を備え、
前記伸縮起点部は、
前記本体部の正面側で、当該本体部を前記着用者の膝関節を覆う部分と、前記着用者の大腿部を覆う部分及び脛部を覆う部分の少なくとも一方を覆う部分とに隔てる第１の起点部、
前記前記本体部の背面側で、当該本体部を前記着用者の膝関節を覆う部分と、前記着用者の大腿部を覆う部分及び脛部を覆う部分の少なくとも一方を覆う部分とに隔てる第２の起点部、
前記本体部の外側面側で、少なくとも一部が前記着用者の膝関節を覆う部分よりも下方に延在する第３の起点部、及び、
前記本体部の内側面側で、前記着用者の股部よりも下側部分で少なくとも一部が下方に向かって延在する第４の起点部、
のうち少なくとも一つを有することを特徴とする下半身衣類。
【請求項２】
前記伸縮起点部は、前記第１の起点部〜前記第４の起点部のうち少なくとも二つを有すると共にライン状をなしていることを特徴とする請求項１記載の下半身衣類。
【請求項３】
前記伸縮起点部は、前記本体部の側面側から見た場合に、前記本体部の前後方向について略対称となるライン状部分を含んでいることを特徴とする請求項１又は２記載の下半身衣類。
【請求項４】
前記第１の起点部は、前記本体部の正面側における前記着用者の膝関節を覆う部分の上方及び下方の少なくとも一方で前記本体部を周方向に横断するように形成されていることを特徴とする請求項１〜３のいずれか一項記載の下半身衣類。
【請求項５】
前記第２の起点部は、前記本体部の背面側における前記着用者の膝関節を覆う部分の上方及び下方の少なくとも一方で前記本体部を周方向に横断するように形成されていることを特徴とする請求項１〜４のいずれか一項記載の下半身衣類。
【請求項６】
前記第１の起点部は、前記本体部の正面側における前記着用者の膝関節を覆う部分を囲うように形成されていることを特徴とする請求項１〜５のいずれか一項記載の下半身衣類。
【請求項７】
前記第２の起点部は、前記本体部の背面側における前記着用者の膝関節を覆う部分を囲うように形成されている請求項１〜６のいずれか一項記載の下半身衣類。
【請求項８】
前記第１の起点部は、上記構成に代えて、前記着用者の膝関節を覆うように形成されていることを特徴とする請求項１記載の下半身衣類。
【請求項９】
前記伸縮起点部は、前記本体部の編み組織を部分的に変更することによって形成されていることを特徴とする請求項１〜８のいずれか一項記載の下半身衣類。
【請求項１０】
前記伸縮起点部は、前記本体部に樹脂を塗布することによって形成されていることを特徴とする請求項１〜９のいずれか一項記載の下半身衣類。
【請求項１１】
前記伸縮起点部は、前記本体部に当て布を取り付けることによって形成されていることを特徴とする請求項１〜１０のいずれか一項記載の下半身衣類。
【請求項１２】
前記伸縮起点部は、前記本体部に抜蝕加工を施すことによって形成されていることを特徴とする請求項１〜１１のいずれか一項記載の下半身衣類。
【発明の詳細な説明】
【技術分野】
【０００１】
本発明は、下半身衣類に関する。
【背景技術】
【０００２】
この種の分野に関連する技術として、例えば特許文献１に記載のアンダーシャツがある。この従来のアンダーシャツでは、緊締力の異なる３種類の素材が用いられ、最も緊締力の高い素材が上腕三頭筋の少なくとも一部に宛がわれ、最も緊締力の低い素材が肩甲骨周りの僧帽筋・広背筋・三角筋の少なくとも一部に宛がわれ、中間の緊締力を有する素材がその他の部位に宛がわれるようになっている。また、例えば特許文献２に記載のシャツでは、一方向にのみ伸縮性を有する素材を用い、後身頃の上部、下部、前身頃、上腕部、脇部〜肘部、袖部でそれぞれ伸縮方向が異なるように素材を配置している。
【先行技術文献】
【特許文献】
【０００３】
【特許文献１】特開２００４−０４４０７０号公報
【特許文献２】特開２００９−２９９２３９号公報
【発明の概要】
【発明が解決しようとする課題】
【０００４】
上述したような従来の衣類では、着用者が動作する際に関節や筋肉を安定化させることや動きを妨げないことに主眼が置かれている。このことも、着用者の動作をサポートする観点からは有意なことであるが、着用者の動作をスムーズにさせ、様々な動作を美しく見せる機能を持たせるには更なる工夫が必要である。新規な手法で着用者の動作がスムーズになり、動作が美しく見えるように誘導することは、結果として、テニス・ゴルフ・野球・ランニングといった各種のスポーツにおける運動能力の向上に資すると考えられる。
【０００５】
本発明は、上記課題の解決のためになされたものであり、着用者の動作をスムーズにさせ、動作を美しく見せることができる下半身衣類を提供することを目的とする。
【課題を解決するための手段】
【０００６】
上記課題の解決のため、本願発明者らは、鋭意研究を重ねていく過程で、人体の動作には、骨や筋肉だけでなくその表面を覆う皮膚の特性が密接に関係していることに着目した。ここで、図２８及び図２９は、人体の関節動作に伴う皮膚の本来の動きの例を示す図である（参考：福井勉「皮膚運動学」  三輪書店）。図２８（ａ）に示すように、例えば膝関節の屈曲時には、膝の表側の皮膚は膝関節に集り、膝の裏側の皮膚は膝関節から離れる。また、図２８（ｂ）に示すように、例えば膝関節の伸展時には、屈曲時とは反対に、膝の表側の皮膚は膝関節から離れ、膝の裏側の皮膚は膝関節に集まる。
【０００７】
さらに、図２９（ａ）に示すように、例えば股関節の外転時には、皮膚は大転子周辺から上下方向にそれぞれ遠ざかる方向へ動く。また、図２９（ｂ）に示すように、例えば股関節の内転時には、皮膚は大転子周辺へ集まるように動く。
【０００８】
しかしながら、このような本来の皮膚の動きとは異なり、人体の関節動作時に皮膚が集まって皺が寄ったり皮膚が離れて突っ張ったりすると、関節の可動域が狭くなったり、動作が阻害されたりすることが考えられる。
【０００９】
次に、本願発明者らは、人体の走る動作における下半身の様子に着目した。図３０は、トレッドミル上で走る走行者の下半身の状態を示す図である。図３０（ａ）は、通常の走行姿勢を実線で図示し、腰が体の外側方に流れた状態の走行姿勢を二点鎖線で模式的に示すものである。動きに無駄のある走行者の場合、図３０（ａ）に示すように、地面に着いた脚に体重がかかって腰が体の外側方に流れる傾向がある。また、図３０（ｂ）に示すように、股関節と膝関節との動作のタイミングが合わず、体が前に進まずに上方に跳ね上がる傾向がある。
【００１０】
そこで、本願発明者らは、上述した皮膚の動きを考慮し、人体の動作時に生じる無駄な動きを抑制するように皮膚の動きをサポートする構成を衣類に付加すれば、筋肉に緊締力を作用させる手法とは全く異なる新規な手法で、着用者の動作をスムーズかつ美しく見せることができるとの知見を得て、本発明を完成するに至った。
【００１１】
本発明に係る下半身衣類は、伸縮性を有する素材によって形成され、着用者の下半身のうち大腿部及び脛部の少なくとも一方の部位の皮膚に密着し、皮膚を伸縮方向に付勢する本体部と、本体部よりも相対的に低い伸縮性を有し、着用状態において本体部の伸縮の起点となる伸縮起点部と、を備え、伸縮起点部は、本体部の正面側で、当該本体部を着用者の膝関節を覆う部分と、着用者の大腿部を覆う部分及び脛部を覆う部分の少なくとも一方を覆う部分とに隔てる第１の起点部、本体部の背面側で、当該本体部を着用者の膝関節を覆う部分と、着用者の大腿部を覆う部分及び脛部を覆う部分の少なくとも一方を覆う部分とに隔てる第２の起点部、本体部の外側面側で、少なくとも一部が着用者の膝関節を覆う部分よりも下方に延在する第３の起点部、及び、本体部の内側面側で、着用者の股部よりも下側部分で少なくとも一部が下方に向かって延在する第４の起点部、のうち少なくとも一つを有することを特徴としている。
【００１２】
この下半身衣類は、着用状態において本体部が伸縮起点部を起点として伸びるため、本体部が伸縮起点部に向かって縮もうとする力によって着用者の皮膚を動かすことができる。第１の起点部は、本体部の正面側において、膝関節を覆う本体部の生地と大腿部を覆う本体部の生地とを隔てることにより股部周辺の皮膚を膝関節側に伸ばす作用、又は膝関節を覆う本体部の生地と脛部を覆う本体部の生地とを隔てることによって足首部周辺の皮膚を膝関節側に伸ばす作用を有する。また、第２の起点部は、本体部の背面側において同様の作用を有する。これにより、股関節及び膝関節の動きがスムーズになり、体が上方に跳ね上がる動きが抑制される。
【００１３】
第３の起点部は、本体部の外側面側で、少なくとも一部が着用者の膝関節を覆う部分よりも下方に延在し、大転子周辺の本体部の生地を下方に引っ張ることにより、大転子周辺の皮膚を大腿部側に向かって伸ばすように作用する。このため、着用時の大腿部の運動領域を非着用時に比べて腰部の外側にシフトさせることができる。また、第４の起点部は、本体部の内側面側で、着用者の股部よりも下側部分で少なくとも一部が下方に向かって延在することにより、脚の内側面側の皮膚を股部側に向かって集めるように作用する。これにより、股関節が内転し難くする。
【００１４】
以上により、この下半身衣類では、着用者の動作の無駄が抑えられ、動作を美しく見せることができる。
【００１５】
なお、ここでいう脛部とは、膝部から足首部にかけての部位を指すものである。
【００１６】
また、伸縮起点部は、第１の起点部〜第４の起点部のうち少なくとも二つを有すると共にライン状をなしていることが好ましい。この場合、各起点部の協働により、起点部の作用が更に強化される。
【００１７】
また、伸縮起点部は、本体部の側面側から見た場合に、本体部の前後方向について略対称となるライン状部分を含んでいることが好ましい。ここで、側面側には、外側面側と内側面側が含まれる。このような態様により、起点部による本体部の生地の引っ張る力を強化できる。
【００１８】
また、第１の起点部は、本体部の正面側における着用者の膝関節を覆う部分の上方及び下方の少なくとも一方で本体部を周方向に横断するように形成されていることが好ましい。このような構成により、第１の起点部の作用をより確実に生じさせることができる。
【００１９】
また、第２の起点部は、本体部の背面側における着用者の膝関節を覆う部分の上方及び下方の少なくとも一方で本体部を周方向に横断するように形成されていることが好ましい。このような構成により、第２の起点部の作用をより確実に生じさせることができる。
【００２０】
また、第１の起点部は、本体部の正面側における着用者の膝関節を覆う部分を囲うように形成されていることが好ましい。このような構成により、第１の起点部の作用をより確実に生じさせることができる。
【００２１】
また、第２の起点部は、本体部の背面側における着用者の膝関節を覆う部分を囲うように形成されていることが好ましい。このような構成により、第２の起点部の作用をより確実に生じさせることができる。
【００２２】
また、第１の起点部は、上記構成に代えて、着用者の膝関節を覆うように形成されていてもよい。このような構成によっても第１の起点部の作用を生じさせることができる。
【００２３】
また、伸縮起点部は、本体部の編み組織を部分的に変更することによって形成されていることが好ましい。これにより、伸縮起点部を簡易に形成できる。
【００２４】
また、伸縮起点部は、本体部に樹脂を塗布することによって形成されていることが好ましい。これにより、伸縮起点部を簡易に形成できる。
【００２５】
また、伸縮起点部は、本体部に当て布を取り付けることによって形成されていることが好ましい。これにより、伸縮起点部を簡易に形成できる。
【００２６】
伸縮起点部は、本体部に抜蝕加工を施すことによって形成されていることが好ましい。これにより、伸縮起点部を簡易に形成できる。
【発明の効果】
【００２７】
本発明によれば、着用者の動作をスムーズにさせ、動作を美しく見せることができる。
【図面の簡単な説明】
【００２８】
【図１】本発明の第１実施形態に係る下半身衣類の着用状態を正面側から見た図である。
【図２】図１に示した下半身衣類の着用状態を背面側から見た図である。
【図３】図１に示した下半身衣類の着用状態を所定の動作時において一方の側面側から見た図である。
【図４】図１に示した下半身衣類の着用状態を別の動作時において一方の側面側から見た図である。
【図５】本発明の第２実施形態に係る下半身衣類の着用状態を示す図である。
【図６】本発明の第３実施形態に係る下半身衣類の着用状態を示す図である。
【図７】本発明の第４実施形態に係る下半身衣類の着用状態を示す図である。
【図８】本発明の第５実施形態に係る下半身衣類の着用状態を示す図である。
【図９】本発明の第６実施形態に係る下半身衣類の着用状態を示す図である。
【図１０】本発明の第７実施形態に係る下半身衣類の着用状態を示す図である。
【図１１】本発明の第８実施形態に係る下半身衣類の着用状態を示す図である。
【図１２】本発明の第９実施形態に係る下半身衣類の着用状態を示す図である。
【図１３】本発明の第１０実施形態に係る下半身衣類の着用状態を示す図である。
【図１４】本発明の第１１実施形態に係る下半身衣類の着用状態を示す図である。
【図１５】本発明の第１２実施形態に係る下半身衣類の着用状態を示す図である。
【図１６】本発明の第１３実施形態に係る下半身衣類の着用状態を示す図である。
【図１７】本発明の第１４実施形態に係る下半身衣類の着用状態を示す図である。
【図１８】本発明の第１５実施形態に係る下半身衣類の着用状態を示す図である。
【図１９】本発明の第１６実施形態に係る下半身衣類の着用状態を示す図である。
【図２０】本発明の第１７実施形態に係る下半身衣類の着用状態を示す図である。
【図２１】本発明の第１８実施形態に係る下半身衣類の着用状態を示す図である。
【図２２】本発明の第１９実施形態に係る下半身衣類の着用状態を示す図である。
【図２３】本発明の第２０実施形態に係る下半身衣類の着用状態を示す図である。
【図２４】本発明の第２１実施形態に係る下半身衣類の着用状態を示す図である。
【図２５】本発明の第２２実施形態に係る下半身衣類の着用状態を示す図である。
【図２６】本発明の第２３実施形態に係る下半身衣類の着用状態を示す図である。
【図２７】伸縮起点部の変形例を示す図である。
【図２８】膝関節の屈曲・伸展動作と皮膚の動きの関係を示す図である。
【図２９】股関節の外旋・内旋動作と皮膚の動きの関係を示す図である。
【図３０】トレッドミル上で走行する被験者の状態を示す図である。
【発明を実施するための形態】
【００２９】
以下、図面を参照しながら、本発明に係る下半身衣類の好適な実施形態について詳細に説明する。
【００３０】
実施形態の説明に先立ち、まず、本発明の知見について説明する。本願発明者らは、鋭意研究を重ねる過程で、皮膚を動かすことで人体の動作に変化を与えられることに着目した。例えば屈曲・伸展又は外転・内転に関する関節動作によって皺ができる部位の皮膚は関節から離れる傾向にあり、伸長される部位の皮膚は、関節に集まる傾向にある。
【００３１】
これらの動きは本来の皮膚の動きの向きであり、この動きを促進する構成を衣類に付加すれば、関節の可動域を広げたり、動作をスムーズにさせたりできるという知見を見出した。
【００３２】
より具体的には、膝関節周辺では、膝関節が屈曲したときに正面側の皮膚の皺が伸ばされ、皮膚が突っ張った状態になり易い状態が生じる。一方、膝関節の背面側では、地面を蹴るとき等、膝関節が伸びた状態のときに、皮膚が突っ張り易い状態が生じる。これらの皮膚の突っ張り状態によって、膝関節の可動域が狭くなったり、動作が阻害されていると考えられる。このため、これらの皮膚の突っ張り状態を緩和させることで、膝関節の可動域を広げたり、動作をスムーズにすることが考えられる。
【００３３】
また、一般に、走行時等において、骨格の形状等の影響により股関節は内転し易い（特に、男性よりも女性の方が、内転し易い）ことが知られている。
【００３４】
そこで、発明者らが検討を重ねたところ、外側面側の大転子周辺の皮膚を伸ばして突っ張りやすい状態とすることにより、股関節の内転を抑制することができるとの知見を得た。また、内側面側では、股部側へ皺が寄り易くなるように皮膚を集めることによって、股関節の内転を抑制できるとの知見を得た。
【００３５】
上記のように、股関節周辺では、大転子周辺の皮膚を突っ張り易くするか、内側面側の皮膚を股部周辺に集めることによって、走行時においても股関節が内転し難く、走行フォームを美しくすることができる。
【００３６】
また、股関節周辺では、鼠蹊部（太股の付け根）や臀溝周辺に皺が生じることによっても股関節の前後方向の可動範囲が狭まったり、動作が阻害されると考えられる。このため、鼠蹊部や臀溝の皺を伸ばすことで、股関節の可動域を広げたり、動作をスムーズにするといったことも考えられる。
【００３７】
上述の知見を人体の下半身の動作に対して適用し、図３０に示したように、腰が体の外側方に流れてしまう動きや、体が上方に跳ね上がる動きを抑える構成を下半身衣類に付加すれば、着用者の動作をスムーズにさせ、動作を美しく見せることができるとの結論を得るに至った。
【００３８】
以下に示す下半身衣類の各実施形態は、上記効果の具現化のため、着用者の正面側において股部周辺の皮膚を膝部側に伸ばしつつ膝部周辺の皮膚を膝部側に集める作用（作用Ａ）、着用者の背面側において股部周辺の皮膚を膝部側に伸ばしつつ膝部周辺の皮膚を膝部側に集める作用（作用Ｂ）、着用者の大転子周辺の皮膚を大腿部側に伸ばす作用（作用Ｃ）、及び着用者の脚の内側面側の皮膚を股部側に向かって集める作用（作用Ｄ）のうち、少なくとも一つを奏するように形成されている。作用Ａ〜Ｄは、図中において矢印Ａ〜Ｄで示している。
［第１実施形態］
【００３９】
図１は、本発明の第１実施形態に係る下半身衣類の着用状態を正面側から見た図であり、図２は、下半身衣類の着用状態を背面側から見た図である。また、図３は、下半身衣類の着用状態を所定の動作時において一方の側面側から見た図であり、図４は、別の動作時において一方の側面側から見た図である。図１〜図４に示す下半身衣類１Ａは、例えばテニス・ゴルフ・野球・ランニングといった各種のスポーツを行う際に、運動能力を向上させる目的で着用されるロングタイプのスパッツとして構成され、上述した作用Ａ〜Ｄの全てを奏するタイプ（ＡＢＣＤ型）である。
【００４０】
下半身衣類１Ａは、着用者の下半身のうち大腿部及び脛部の少なくとも一方の部位の皮膚に密着するように伸縮性を有する素材によって形成され、接触する皮膚を伸縮方向に付勢する本体部２と、本体部２よりも相対的に低い伸縮性を有し、着用状態において本体部２の伸縮の起点となる伸縮起点部３Ａとを備えている。本体部２は、例えば前身頃と後身頃とによって構成され、これらが互いに縫着されることによって形成されている。また、伸縮起点部３Ａは、着用者の両脚に対応するように左右対称にそれぞれ形成されている。
【００４１】
本体部２を構成する素材には、例えばポリエステル及びポリウレタンを混糸してなるベア天竺を用いることができる。このような素材を用いることにより、着用者の下半身に対する本体部２の密着性が良好なものとなる。
【００４２】
伸縮起点部３Ａを構成する素材には、例えばナイロン及びポリウレタンを混糸してなるパワーネットを用いることができる。伸縮起点部３Ａの形状は、後述するように種々の形態を取り得るが、所定幅でライン状に延在させる場合には、長手方向の伸縮性よりも幅方向の伸縮性が低くなっていることが好ましい。
【００４３】
伸縮起点部３Ａの伸縮性が本体部２の伸縮性よりも低くなっていることにより、着用状態において、伸び易い本体部２が伸び難い伸縮起点部３Ａを起点として伸び、着用状態では本体部２が伸縮起点部３Ａ側に向かって常に縮もうとする。したがって、この本体部２の縮もうとする力によって、着用者の皮膚を伸縮起点部３Ａ側に向かって動かすことができる。
【００４４】
本実施形態では、伸縮起点部３Ａは、着用者の股部から足首部にかけて幅数ｃｍ程度のライン状に設けられている。より具体的には、伸縮起点部３Ａは、本体部２の内側面側で着用者の股部付近を上下方向に伸び、下側で本体部２の正面側と背面側とに分岐している。分岐部分より下側では、一方のラインが本体部２の正面側に回って着用者の膝部の上方を斜めに通り、更に本体部２の外側面側に回って着用者の足首部まで延在している。また、他方のラインが本体部２の背面側に回って着用者の膝部の上方を斜めに通り、更に本体部２の外側面側に回って一方のラインと並列に着用者の足首部まで延在している。伸縮起点部３Ａは、本体部２の側面側から見た場合に、本体部２の前後方向について略対称となるようなラインとなっている（図３参照）。なお、本実施形態では、本体部２は、着用者の足首部までを覆うように形成されているが、少なくとも着用者の腰部から膝関節までを覆うように形成されていれば良い。例えば、図１に２点鎖線で示す仮想線Ｌ１の位置、すなわち膝関節の直下方に本体部２の下端側の裾口が設けられるようにしてもよい。また、上記裾口の位置は、仮想線Ｌ１より下側であれば、いずれの位置としても良い。但し、上記裾口の位置が膝関節寄りの位置となると、伸縮起点部を脛部に設けることができないため、裾口の位置は足首寄りの位置とする方が好ましい。
【００４５】
この伸縮起点部３Ａは、本体部２の正面側で膝部の上方に位置する部分が、本体部２を着用者の膝関節を覆う部分と着用者の大腿部を覆う部分とに隔てており、着用者の正面側において股部周辺の皮膚を膝部側に伸ばしつつ膝部周辺の皮膚を膝部側に集める第１の起点部３ａとなっている（図１参照）。また、本体部２の背面側で膝部の上方に位置する部分が、本体部２を着用者の膝関節を覆う部分と着用者の大腿部を覆う部分とに隔てており、着用者の背面側において股部周辺の皮膚を膝部側に伸ばしつつ膝部周辺の皮膚を膝部側に集める第２の起点部３ｂとなっている（図２参照）。
【００４６】
さらに、伸縮起点部３Ａは、本体部２の外側面側で足首部の上方に位置する部分が、着用者の大転子周辺の皮膚を大腿部側に伸ばす第３の起点部３ｃとなっており（図３及び図４参照）、本体部２の内側面側で股部付近に位置する部分が、着用者の脚の内側面側の皮膚を股部側に向かって集める第４の起点部３ｄとなっている（図３及び図４参照）。なお、本実施形態では、第３の起点部３ｃ、第４の起点部３ｄがそれぞれ側面視において略対称となるように形成されているが、本発明は、これに限定されるものではない。例えば、第３の起点部３ｃ、第４の起点部３ｄのうち、いずれか一方のみ上記のように略対称となるよう形成しても良い。また、第３の起点部３ｃ、第４の起点部３ｄのいずれも上記のように略対称に形成されていなくとも良い。
【００４７】
以上のように、下半身衣類１Ａでは、着用状態において本体部２が伸縮起点部３を起点として伸びるため、本体部２が伸縮起点部３Ａに向かって縮もうとする力によって着用者の皮膚を動かすことができる。下半身衣類１Ａでは、第１の起点部３ａ及び第２の起点部３ｂの作用により、股関節及び膝関節の動きがスムーズになり、着用者の体が上方に跳ね上がる動きを抑制できる。
【００４８】
すなわち、第１の起点部３ａは、鼠蹊部（太股の付け根）周辺の皺を伸ばし、第２の起点部３ｂは、臀溝周辺の皺を伸ばす。これにより、ヌード状態で皺の寄りやすい鼠蹊部及び臀溝周辺の皺を低減し、股関節の可動範囲を広げることができる。特に、股関節の屈曲時に鼠蹊部の皺や、股関節の伸展時に臀溝部に生じる皺を軽減することができる。
【００４９】
これに対し、膝関節周辺の皮膚は、走行時や歩行時等の運動の際に突っ張り易い傾向があり、特に脚を前に出すときに突っ張り易くなることが知られている。上記のように、皮膚の突っ張りによって緊張状態が生じることが、膝関節の動作が悪くなる1つの要因であると考えられている。
【００５０】
そこで、第１の起点部３ａは、膝周辺の皮膚を膝側に付勢して、膝関節の屈曲時の皮膚の突っ張りを軽減し、第２の起点部３ｂは、膝関節の背面側部分へ周辺の皮膚を集めて膝関節の伸展時の皮膚の突っ張りを軽減する。第１の起点部３ａ及び第２の起点部３ｂによって、膝の正面側（膝蓋周辺とも表現できる）及び膝の背面側（膝窩周辺とも表現できる）に皺を集め、膝関節の皮膚の突っ張りによる緊張状態を緩和する。
【００５１】
これにより、上記のように股関節及び膝関節の動きをスムーズなものとすることができる。
【００５２】
また、下半身衣類１Ａでは、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。
［第２実施形態］
【００５３】
図５は、本発明の第２実施形態に係る下半身衣類の着用状態を示す図である。同図に示す下半身衣類１Ｂは、上述した作用Ａのみを奏するタイプ（Ａ型）である点で第１実施形態と異なっている。すなわち、下半身衣類１Ｂには、本体部２の正面側において、着用者の膝部に重なる位置に略円形の伸縮起点部３Ｂが設けられている。
【００５４】
伸縮起点部３Ｂは、本体部２の正面側において着用者の膝部に重なるように位置する全体部分が、着用者の正面側において股部周辺の皮膚を膝部側に伸ばしつつ膝部周辺の皮膚を膝部側に集める第１の起点部３ａとなっている。
【００５５】
このような下半身衣類１Ｂでは、第１の起点部３ａの作用により、股関節及び膝関節の動きがスムーズになり、着用者の体が上方に跳ね上がる動きを抑制できる。したがって、着用者の動作の無駄が抑えられ、動作を美しく見せることができる。
［第３実施形態］
【００５６】
図６は、本発明の第３実施形態に係る下半身衣類の着用状態を示す図である。同図に示す下半身衣類１Ｃは、上述した作用Ａ及び作用Ｂを奏するタイプ（ＡＢ型）である点で第１実施形態と異なっている。この下半身衣類１Ｃには、着用者の膝部の上方及び下方となる位置に、円環状の伸縮起点部３Ｃが膝部周りに互いに離間して設けられている。
【００５７】
伸縮起点部３Ｃは、円環状の部分のうち、本体部２の正面側に位置する部分が、本体部２の正面側における着用者の膝関節を覆う部分の上方及び下方で本体部２を周方向に横断し、着用者の正面側において股部周辺の皮膚を膝部側に伸ばしつつ膝部周辺の皮膚を膝部側に集める第１の起点部３ａとなっている。また、円環状の部分のうち、本体部２の背面側に位置する部分が、本体部２の背面側における着用者の膝関節を覆う部分の上方及び下方で本体部２を周方向に横断し、着用者の背面側において股部周辺の皮膚を膝部側に伸ばしつつ膝部周辺の皮膚を膝部側に集める第２の起点部３ｂとなっている。
【００５８】
このような下半身衣類１Ｃでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。
［第４実施形態］
【００５９】
図７は、本発明の第４実施形態に係る下半身衣類の着用状態を示す図である。同図に示す下半身衣類１Ｄは、上述した作用Ａ及び作用Ｂを奏するタイプ（ＡＢ型）の変形例である。この下半身衣類１Ｄには、本体部２の正面側及び背面側のそれぞれにおいて、着用者の膝関節を囲むような位置に円環状の伸縮起点部３Ｄが設けられている。また、正面側の円環と背面側の円環とは、本体部２の外側面側及び内側面側で互いに連結されている。
【００６０】
伸縮起点部３Ｄは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっており、円環状の部分のうち、本体部２の背面側に位置する部分が、着用者の背面側において股部周辺の皮膚を膝部側に伸ばしつつ膝部周辺の皮膚を膝部側に集める第２の起点部３ｂとなっている。
【００６１】
このような下半身衣類１Ｄでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。
［第５実施形態］
【００６２】
図８は、本発明の第５実施形態に係る下半身衣類の着用状態を示す図である。同図に示す下半身衣類１Ｅは、上述した作用Ａ及び作用Ｂを奏するタイプ（ＡＢ型）の別の変形例である。この下半身衣類１Ｅには、本体部２の正面側及び背面側のそれぞれにおいて、着用者の膝関節を囲むような位置に菱形状の伸縮起点部３Ｅが設けられている。また、正面側の菱形と背面側の菱形とは、本体部２の外側面側及び内側面側で互いに連結されている。
【００６３】
伸縮起点部３Ｅは、菱形部分のうち、本体部２の正面側に位置する部分が、着用者の正面側において股部周辺の皮膚を膝部側に伸ばしつつ膝部周辺の皮膚を膝部側に集める第１の起点部３ａとなっており、菱形部分のうち、本体部２の背面側に位置する部分が、着用者の背面側において股部周辺の皮膚を膝部側に伸ばしつつ膝部周辺の皮膚を膝部側に集める第２の起点部３ｂとなっている。
【００６４】
このような下半身衣類１Ｅでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。
［第６実施形態］
【００６５】
図９は、本発明の第６実施形態に係る下半身衣類の着用状態を示す図である。同図に示す下半身衣類１Ｆは、上述した作用Ａ及び作用Ｂを奏するタイプ（ＡＢ型）の更なる変形例である。この下半身衣類１Ｆには、第３実施形態と同様に着用者の膝部の上方及び下方で膝部周りに形成された円環状の部分と、本体部２の外側面側及び内側面側において着用者の股部側から足首側にかけて直線状に延在する部分とからなる伸縮起点部３Ｆが設けられている。
【００６６】
伸縮起点部３Ｆは、円環状の部分のうち、本体部２の正面側に位置する部分が、本体部２の正面側における着用者の膝関節を覆う部分の上方及び下方で本体部２を周方向に横断し、着用者の正面側において股部周辺の皮膚を膝部側に伸ばしつつ膝部周辺の皮膚を膝部側に集める第１の起点部３ａとなっている。また、円環状の部分のうち、本体部２の背面側に位置する部分が、本体部２の背面側における着用者の膝関節を覆う部分の上方及び下方で本体部２を周方向に横断し、着用者の背面側において股部周辺の皮膚を膝部側に伸ばしつつ膝部周辺の皮膚を膝部側に集める第２の起点部３ｂとなっている。
【００６７】
このような下半身衣類１Ｆでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。
【００６８】
なお、本体部２の外側面側及び内側面側において着用者の股部側から足首側にかけて直線状に延在する部分３ｅは、本発明の作用とは異なるが、着用者の脚を安定化させる効果を奏する。本実施形態のように、伸縮起点部には、上述した作用Ａ〜作用Ｄを阻害しない範囲で、異なる目的を有する部分を更に形成してもよい。
［第７実施形態］
【００６９】
図１０は、本発明の第７実施形態に係る下半身衣類の着用状態を示す図である。同図に示す下半身衣類１Ｇは、上述した作用Ａ及び作用Ｃを奏するタイプ（ＡＣ型）である点で第１実施形態と異なっている。この下半身衣類１Ｇには、本体部２の正面側において膝部の上方を斜めに通り、更に本体部２の外側面側に回って着用者の足首部まで延在するライン状の伸縮起点部３Ｇが設けられている。
【００７０】
伸縮起点部３Ｇは、本体部２の正面側で膝部の上方に位置する部分が、本体部２を着用者の膝関節を覆う部分と着用者の大腿部を覆う部分とに隔てており、着用者の正面側において股部周辺の皮膚を膝部側に伸ばしつつ膝部周辺の皮膚を膝部側に集める第１の起点部３ａとなっている。また、本体部２の外側面側で足首部の上方に位置する部分が、着用者の大転子周辺の皮膚を大腿部側に伸ばす第３の起点部３ｃとなっている。
【００７１】
このような下半身衣類１Ｇでは、第１の起点部３ａの作用により、股関節及び膝関節の動きがスムーズになり、着用者の体が上方に跳ね上がる動きを抑制できる。また、第３の起点部３ｃの作用により、着用者の股関節の動作が安定し、腰が体の外側方に流れることを抑制できる。したがって、着用者の動作の無駄が抑えられ、動作を美しく見せることができる。
［第８実施形態］
【００７２】
図１１は、本発明の第８実施形態に係る下半身衣類の着用状態を示す図である。同図に示す下半身衣類１Ｈは、上述した作用Ａ及び作用Ｃを奏するタイプ（ＡＣ型）の変形例である。この下半身衣類１Ｈには、本体部２の正面側において、着用者の膝関節を囲むような位置に形成された円環状の部分と、当該円環状の部分に連結され、本体部２の外側面側で着用者の足首部まで延在する部分とからなる伸縮起点部３Ｈが設けられている。
【００７３】
伸縮起点部３Ｈは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっており、本体部２の外側面側で足首部の上方に位置する部分が、着用者の大転子周辺の皮膚を大腿部側に伸ばす第３の起点部３ｃとなっている。
【００７４】
このような下半身衣類１Ｈでは、第１の起点部３ａの作用により、股関節及び膝関節の動きがスムーズになり、着用者の体が上方に跳ね上がる動きを抑制できる。また、第３の起点部３ｃの作用により、着用者の股関節の動作が安定し、腰が体の外側方に流れることを抑制できる。したがって、着用者の動作の無駄が抑えられ、動作を美しく見せることができる。
［第９実施形態］
【００７５】
図１２は、本発明の第９実施形態に係る下半身衣類の着用状態を示す図である。同図に示す下半身衣類１Ｉは、上述した作用Ａ及び作用Ｃを奏するタイプ（ＡＣ型）の別の変形例である。この下半身衣類１Ｉには、本体部２の正面側において、着用者の膝関節を囲むような位置に形成された円環状の部分と、当該円環状の部分とは分離し、本体部２の外側面側で着用者の足首部付近にのみ延在する部分とからなる伸縮起点部３Ｉが設けられている。
【００７６】
伸縮起点部３Ｉは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっており、本体部２の外側面側で足首部付近に位置する部分が、着用者の大転子周辺の皮膚を大腿部側に伸ばす第３の起点部３ｃとなっている。
【００７７】
このような下半身衣類１Ｉでは、第１の起点部３ａの作用により、股関節及び膝関節の動きがスムーズになり、着用者の体が上方に跳ね上がる動きを抑制できる。また、第３の起点部３ｃの作用により、着用者の股関節の動作が安定し、腰が体の外側方に流れることを抑制できる。したがって、着用者の動作の無駄が抑えられ、動作を美しく見せることができる。
［第１０実施形態］
【００７８】
図１３は、本発明の第１０実施形態に係る下半身衣類の着用状態を示す図である。同図に示す下半身衣類１Ｊは、上述した作用Ａ及び作用Ｄを奏するタイプ（ＡＤ型）である点で第１実施形態と異なっている。この下半身衣類１Ｊには、本体部２の正面側において膝部の上方を斜めに通り、更に本体部２の内側面側に回って着用者の股部まで延在するライン状の伸縮起点部３Ｊが設けられている。
【００７９】
伸縮起点部３Ｊは、本体部２の正面側で膝部の上方に位置する部分が、本体部２を着用者の膝関節を覆う部分と着用者の大腿部を覆う部分とに隔てており、着用者の正面側において股部周辺の皮膚を膝部側に伸ばしつつ膝部周辺の皮膚を膝部側に集める第１の起点部３ａとなっている。また、本体部２の内側面側で股部付近に位置する部分が、着用者の脚の内側面側の皮膚を股部側に向かって集める第４の起点部３ｄとなっている。
【００８０】
このような下半身衣類１Ｊでは、第１の起点部３ａの作用により、股関節及び膝関節の動きがスムーズになり、着用者の体が上方に跳ね上がる動きを抑制できる。また、第４の起点部３ｄの作用により、着用者の股関節の動作が安定し、腰が体の外側方に流れることを抑制できる。したがって、着用者の動作の無駄が抑えられ、動作を美しく見せることができる。
［第１１実施形態］
【００８１】
図１４は、本発明の第１１実施形態に係る下半身衣類の着用状態を示す図である。同図に示す下半身衣類１Ｋは、上述した作用Ａ及び作用Ｄを奏するタイプ（ＡＤ型）の変形例である。この下半身衣類１Ｋには、本体部２の正面側において、着用者の膝関節を囲むような位置に形成された円環状の部分と、当該円環状の部分に連結され、本体部２の内側面側において着用者の股部まで延在する部分とからなる伸縮起点部３Ｋが設けられている。
【００８２】
伸縮起点部３Ｋは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっており、本体部２の内側面側で股部付近に位置する部分が、着用者の脚の内側面側の皮膚を股部側に向かって集める第４の起点部３ｄとなっている。
【００８３】
このような下半身衣類１Ｋでは、第１の起点部３ａの作用により、股関節及び膝関節の動きがスムーズになり、着用者の体が上方に跳ね上がる動きを抑制できる。また、第４の起点部３ｄの作用により、着用者の股関節の動作が安定し、腰が体の外側方に流れることを抑制できる。したがって、着用者の動作の無駄が抑えられ、動作を美しく見せることができる。
［第１２実施形態］
【００８４】
図１５は、本発明の第１２実施形態に係る下半身衣類の着用状態を示す図である。同図に示す下半身衣類１Ｌは、上述した作用Ａ及び作用Ｄを奏するタイプ（ＡＤ型）の別の変形例である。この下半身衣類１Ｌには、本体部２の正面側において、着用者の膝関節を囲むような位置に形成された円環状の部分と、当該円環状の部分とは分離し、本体部２の内側面側において着用者の股部付近に延在する部分とからなる伸縮起点部３Ｌが設けられている。
【００８５】
伸縮起点部３Ｌは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっており、本体部２の内側面側で股部付近に位置する部分が、着用者の脚の内側面側の皮膚を股部側に向かって集める第４の起点部３ｄとなっている。
【００８６】
このような下半身衣類１Ｌでは、第１の起点部３ａの作用により、股関節及び膝関節の動きがスムーズになり、着用者の体が上方に跳ね上がる動きを抑制できる。また、第４の起点部３ｄの作用により、着用者の股関節の動作が安定し、腰が体の外側方に流れることを抑制できる。したがって、着用者の動作の無駄が抑えられ、動作を美しく見せることができる。
［第１３実施形態］
【００８７】
図１６は、本発明の第１３実施形態に係る下半身衣類の着用状態を示す図である。同図に示す下半身衣類１Ｍは、上述した作用Ａ及び作用Ｄを奏するタイプ（ＡＤ型）の別の変形例である。この下半身衣類１Ｍには、本体部２の正面側において、着用者の膝関節を囲むような位置に円環状の伸縮起点部３Ｍが設けられている。また、本体部２は、足首部回りが浮かない（捲れ上がらない）程度に裾部２ａの径が広げられている。
【００８８】
伸縮起点部３Ｍは、円環状の部分のうち、本体部２の正面側に位置する部分が、着用者の正面側において股部周辺の皮膚を膝部側に伸ばしつつ膝部周辺の皮膚を膝部側に集める第１の起点部３ａとなっている。
【００８９】
このような下半身衣類１Ｍでは、第１の起点部３ａの作用により、股関節及び膝関節の動きがスムーズになり、着用者の体が上方に跳ね上がる動きを抑制できる。また、本体部２の裾部２ａの径が広げられていることにより、本体部２の内側面側における股部付近の密着度が足首部付近における密着度よりも高くなり、着用者の脚の内側面側の皮膚を股部側に向かって集める作用が生じる。これにより、着用者の股関節の動作が安定し、腰が体の外側方に流れることを抑制できる。したがって、着用者の動作の無駄が抑えられ、動作を美しく見せることができる。
［第１４実施形態］
【００９０】
図１７は、本発明の第１４実施形態に係る下半身衣類の着用状態を示す図である。同図に示す下半身衣類１Ｎは、上述した作用Ｂ及び作用Ｃを奏するタイプ（ＢＣ型）である点で第１実施形態と異なっている。この下半身衣類１Ｎには、本体部２の背面側において膝部の上方を斜めに通り、更に本体部２の外側面側に回って着用者の足首部まで延在するライン状の伸縮起点部３Ｎが設けられている。
【００９１】
伸縮起点部３Ｎは、本体部２の背面側で膝部の上方に位置する部分が、本体部２を着用者の膝関節を覆う部分と着用者の大腿部を覆う部分とに隔てており、着用者の背面側において股部周辺の皮膚を膝部側に伸ばしつつ膝部周辺の皮膚を膝部側に集める第２の起点部３ｂとなっている。また、本体部２の外側面側で足首部付近に位置する部分が、着用者の大転子周辺の皮膚を大腿部側に伸ばす第３の起点部３ｃとなっている。
【００９２】
このような下半身衣類１Ｎでは、第２の起点部３ｂの作用により、股関節及び膝関節の動きがスムーズになり、着用者の体が上方に跳ね上がる動きを抑制できる。また、第３の起点部３ｃの作用により、着用者の股関節の動作が安定し、腰が体の外側方に流れることを抑制できる。したがって、着用者の動作の無駄が抑えられ、動作を美しく見せることができる。
［第１５実施形態］
【００９３】
図１８は、本発明の第１５実施形態に係る下半身衣類の着用状態を示す図である。同図に示す下半身衣類１Ｏは、上述した上述した作用Ｂ及び作用Ｃを奏するタイプ（ＢＣ型）の変形例である。この下半身衣類１Ｏには、本体部２の背面側において、着用者の膝関節を囲むような位置に形成された円環状の部分と、当該円環状の部分に連結され、本体部２の外側面側で着用者の足首部まで延在する部分とからなる伸縮起点部３Ｏが設けられている。
【００９４】
伸縮起点部３Ｏは、円環状の部分のうち、本体部２の背面側に位置する部分が、着用者の背面側において股部周辺の皮膚を膝部側に伸ばしつつ膝部周辺の皮膚を膝部側に集める第２の起点部３ｂとなっており、本体部２の外側面側で足首部付近に位置する部分が、着用者の大転子周辺の皮膚を大腿部側に伸ばす第３の起点部３ｃとなっている。
【００９５】
このような下半身衣類１Ｏでは、第２の起点部３ｂの作用により、股関節及び膝関節の動きがスムーズになり、着用者の体が上方に跳ね上がる動きを抑制できる。また、第３の起点部３ｃの作用により、着用者の股関節の動作が安定し、腰が体の外側方に流れることを抑制できる。したがって、着用者の動作の無駄が抑えられ、動作を美しく見せることができる。
［第１６実施形態］
【００９６】
図１９は、本発明の第１６実施形態に係る下半身衣類の着用状態を示す図である。同図に示す下半身衣類１Ｐは、上述した上述した作用Ｂ及び作用Ｄを奏するタイプ（ＢＤ型）である点で第１実施形態と異なっている。この下半身衣類１Ｐには、本体部２の背面側において膝部の上方を斜めに通り、更に本体部２の内側面側に回って着用者の股部まで延在するライン状の伸縮起点部３Ｐが設けられている。
【００９７】
伸縮起点部３Ｐは、本体部２の背面側で膝部の上方に位置する部分が、本体部２を着用者の膝関節を覆う部分と着用者の大腿部を覆う部分とに隔てており、着用者の背面側において股部周辺の皮膚を膝部側に伸ばしつつ膝部周辺の皮膚を膝部側に集める第２の起点部３ｂとなっており、本体部２の内側面側で股部付近に位置する部分が、着用者の脚の内側面側の皮膚を股部側に向かって集める第４の起点部３ｄとなっている。
【００９８】
このような下半身衣類１Ｐでは、第２の起点部３ｂの作用により、股関節及び膝関節の動きがスムーズになり、着用者の体が上方に跳ね上がる動きを抑制できる。また、第４の起点部３ｄの作用により、着用者の股関節の動作が安定し、腰が体の外側方に流れることを抑制できる。したがって、着用者の動作の無駄が抑えられ、動作を美しく見せることができる。
［第１７実施形態］
【００９９】
図２０は、本発明の第１７実施形態に係る下半身衣類の着用状態を示す図である。同図に示す下半身衣類１Ｑは、上述した上述した作用Ｂ及び作用Ｄを奏するタイプ（ＢＤ型）の変形例である。この下半身衣類１Ｑには、本体部２の背面側において、着用者の膝関節を囲むような位置に形成された円環状の部分と、当該円環状の部分に連結され、本体部２の内側面側において着用者の股部まで延在する部分とからなる伸縮起点部３Ｑが設けられている。
【０１００】
伸縮起点部３Ｑは、円環状の部分のうち、本体部２の背面側に位置する部分が、着用者の背面側において股部周辺の皮膚を膝部側に伸ばしつつ膝部周辺の皮膚を膝部側に集める第２の起点部３ｂとなっており、本体部２の内側面側で股部付近に位置する部分が、着用者の脚の内側面側の皮膚を股部側に向かって集める第４の起点部３ｄとなっている。
【０１０１】
このような下半身衣類１Ｑでは、第２の起点部３ｂの作用により、股関節及び膝関節の動きがスムーズになり、着用者の体が上方に跳ね上がる動きを抑制できる。また、第４の起点部３ｄの作用により、着用者の股関節の動作が安定し、腰が体の外側方に流れることを抑制できる。したがって、着用者の動作の無駄が抑えられ、動作を美しく見せることができる。
［第１８実施形態］
【０１０２】
図２１は、本発明の第１８実施形態に係る下半身衣類の着用状態を示す図である。同図に示す下半身衣類１Ｒは、上述した上述した作用Ｃ及び作用Ｄを奏するタイプ（ＣＤ型）である点で第１実施形態と異なっている。この下半身衣類１Ｒには、本体部２の外側面側において着用者の足首部付近に延在する部分と、本体部２の内側面側において着用者の股部付近に延在する部分とからなる伸縮起点部３Ｒが設けられている。
【０１０３】
伸縮起点部３Ｒは、本体部２の外側面側において着用者の足首部付近に位置する部分が、着用者の大転子周辺の皮膚を大腿部側に伸ばす第３の起点部３ｃとなっており、本体部２の内側面側で股部付近に位置する部分が、着用者の脚の内側面側の皮膚を股部側に向かって集める第４の起点部３ｄとなっている。
【０１０４】
このような下半身衣類１Ｌでは、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。
［第１９実施形態］
【０１０５】
図２２は、本発明の第１９実施形態に係る下半身衣類の着用状態を示す図である。同図に示す下半身衣類１Ｓは、上述した上述した作用Ｃ及び作用Ｄを奏するタイプ（ＣＤ型）の変形例である。この下半身衣類１Ｓには、本体部２の外側面側において着用者の足首部付近に延在し、上側が本体部２の正面側と背面側とに分岐する部分と、本体部２の内側面側において着用者の股部付近に延在し、下側が本体部２の正面側と背面側とに分岐する部分とからなる伸縮起点部３Ｓが設けられている。
【０１０６】
伸縮起点部３Ｓは、本体部２の外側面側において着用者の足首部付近に位置する部分が、着用者の大転子周辺の皮膚を大腿部側に伸ばす第３の起点部３ｃとなっており、本体部２の内側面側で股部付近に位置する部分が、着用者の脚の内側面側の皮膚を股部側に向かって集める第４の起点部３ｄとなっている。
【０１０７】
このような下半身衣類１Ｓでは、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。
［第２０実施形態］
【０１０８】
図２３は、本発明の第２０実施形態に係る下半身衣類の着用状態を示す図である。同図に示す下半身衣類１Ｔは、上述した作用Ａ、作用Ｂ、及び作用Ｃを奏するタイプ（ＡＢＣ型）である点で第１実施形態と異なっている。この下半身衣類１Ｔには、本体部２の外側面側において着用者の足首部付近に延在し、着用者の膝部の上側で膝部周りを通って再び本体部２の外側面側で着用者の足首部付近に至るライン状の伸縮起点部３Ｔが設けられている。
【０１０９】
伸縮起点部３Ｔは、本体部２の正面側で膝部の上側に位置する部分が、本体部２を着用者の膝関節を覆う部分と着用者の大腿部を覆う部分とに隔てており、着用者の正面側において股部周辺の皮膚を膝部側に伸ばしつつ膝部周辺の皮膚を膝部側に集める第１の起点部３ａとなっている。また、本体部２の背面側で膝部の上側に位置する部分が、本体部２を着用者の膝関節を覆う部分と着用者の大腿部を覆う部分とに隔てており、着用者の背面側において臀溝周辺の皮膚を膝部側に伸ばしつつ膝部周辺の皮膚を膝部側に集める第２の起点部３ｂとなっている。さらに、本体部２の外側面側において着用者の足首部付近に位置する部分が、着用者の大転子周辺の皮膚を大腿部側に伸ばす第３の起点部３ｃとなっている。
【０１１０】
このような下半身衣類１Ｔでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。また、第３の起点部３ｃの作用により、着用者の股関節の動作が安定し、腰が体の外側方に流れることを抑制できる。したがって、着用者の動作の無駄が抑えられ、動作を美しく見せることができる。
［第２１実施形態］
【０１１１】
図２４は、本発明の第２１実施形態に係る下半身衣類の着用状態を示す図である。同図に示す下半身衣類１Ｕは、上述した作用Ａ、作用Ｂ、及び作用Ｃを奏するタイプ（ＡＢＣ型）の変形例である。この下半身衣類１Ｕには、本体部２の外側面側において着用者の足首部付近に延在し、着用者の膝部の下側で膝部周りを通って再び本体部２の外側面側で着用者の足首部付近に至るライン状の伸縮起点部３Ｕが設けられている。
【０１１２】
伸縮起点部３Ｕは、本体部２の正面側で膝部の下側に位置する部分が、本体部２を着用者の膝関節を覆う部分と着用者の脛部を覆う部分とに隔てており、着用者の正面側において股部周辺の皮膚を膝部側に伸ばしつつ膝部周辺の皮膚を膝部側に集める第１の起点部３ａとなっている。また、本体部２の背面側で膝部の下側に位置する部分が、本体部２を着用者の膝関節を覆う部分と着用者の脛部を覆う部分とに隔てており、着用者の背面側において股部周辺の皮膚を膝部側に伸ばしつつ膝部周辺の皮膚を膝部側に集める第２の起点部３ｂとなっている。さらに、本体部２の外側面側において着用者の足首部付近に位置する部分が、着用者の大転子周辺の皮膚を大腿部側に伸ばす第３の起点部３ｃとなっている。
【０１１３】
このような下半身衣類１Ｕでは、第１の起点部３ａ及び第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。また、第３の起点部３ｃの作用により、着用者の股関節の動作が安定し、腰が体の外側方に流れることを抑制できる。したがって、着用者の動作の無駄が抑えられ、動作を美しく見せることができる。
［第２２実施形態］
【０１１４】
図２５は、本発明の第２２実施形態に係る下半身衣類の着用状態を示す図である。同図に示す下半身衣類１Ｖは、上述した作用Ａ、作用Ｃ、及び作用Ｄを奏するタイプ（ＡＣＤ型）である点で第１実施形態と異なっている。この下半身衣類１Ｖには、本体部２の内側面側において着用者の股部付近に延在し、本体部２の正面側に回って着用者の膝部の上方を斜めに通り、更に本体部２の外側面側に回って着用者の足首部まで延在するライン状の伸縮起点部３Ｖが設けられている。
【０１１５】
伸縮起点部３Ｖは、本体部２の正面側で膝部の上側に位置する部分が、本体部２を着用者の膝関節を覆う部分と着用者の大腿部を覆う部分とに隔てており、着用者の正面側において股部周辺の皮膚を膝部側に伸ばしつつ膝部周辺の皮膚を膝部側に集める第１の起点部３ａとなっている。また、本体部２の外側面側において着用者の足首部付近に位置する部分が、着用者の大転子周辺の皮膚を大腿部側に伸ばす第３の起点部３ｃとなっており、本体部２の内側面側で股部付近に位置する部分が、着用者の脚の内側面側の皮膚を股部側に向かって集める第４の起点部３ｄとなっている。
【０１１６】
このような下半身衣類１Ｖでは、第１の起点部３ａの作用により、股関節及び膝関節の動きがスムーズになり、着用者の体が上方に跳ね上がる動きを抑制できる。したがって、着用者の動作の無駄が抑えられ、動作を美しく見せることができる。また、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。
［第２３実施形態］
【０１１７】
図２６は、本発明の第２２実施形態に係る下半身衣類の着用状態を示す図である。同図に示す下半身衣類１Ｗは、上述した作用Ｂ、作用Ｃ、及び作用Ｄを奏するタイプ（ＢＣＤ型）である点で第１実施形態と異なっている。この下半身衣類１Ｗには、本体部２の内側面側において着用者の股部付近に延在し、本体部２の背面側に回って着用者の膝部の上方を斜めに通り、更に本体部２の外側面側に回って着用者の足首部まで延在するライン状の伸縮起点部３Ｗが設けられている。
【０１１８】
伸縮起点部３Ｗは、本体部２の背面側で膝部の上側に位置する部分が、本体部２を着用者の膝関節を覆う部分と着用者の大腿部を覆う部分とに隔てており、着用者の背面側において股部周辺の皮膚を膝部側に伸ばしつつ膝部周辺の皮膚を膝部側に集める第２の起点部３ｂとなっている。また、本体部２の外側面側において着用者の足首部付近に位置する部分が、着用者の大転子周辺の皮膚を大腿部側に伸ばす第３の起点部３ｃとなっており、本体部２の内側面側で股部付近に位置する部分が、着用者の脚の内側面側の皮膚を股部側に向かって集める第４の起点部３ｄとなっている。
【０１１９】
このような下半身衣類１Ｗでは、第２の起点部３ｂの作用により、股関節及び膝関節の動きがスムーズになり、着用者の体が上方に跳ね上がる動きを抑制できる。したがって、着用者の動作の無駄が抑えられ、動作を美しく見せることができる。また、第３の起点部３ｃ及び第４の起点部３ｄの作用により、着用者の股関節の動作が安定し、腰が体の外側方に流れることを抑制できる。したがって、着用者の動作の無駄が抑えられ、動作を美しく見せることができる。
【０１２０】
なお、上記実施形態では、スパッツとして本発明に係る下半身衣類として実現する例を挙げて説明したが、本発明は、これに限定されるものではない。例えば、アウターパンツ等のボトム衣類やスイムウェアとしても良いし、またはガードル等のファンデーション衣類にとしても良い。
【０１２１】
また、上記実施形態ではスパッツの外観に伸縮起点部が表れる例を挙げて説明したが、例えば、伸縮起点部が下半身衣類の肌側に設け、着用状態において外観に表れないものとしても良い。
［伸縮起点部の変形例］
【０１２２】
伸縮起点部３を本体部２に付与する方法としては、本体部２を構成する素材に伸縮起点部３を構成する当て布を重ね合わせて縫着してもよく、樹脂プリント等を接着してもよい。また、伸縮起点部３の形状を除いた本体部２の所定形状のパーツを用意し、これらを接ぎ合わせてもよい。このほか、本体部２の編み組織を部分的に変更して伸縮起点部３を形成してもよく、本体部２に抜蝕加工を施すことによって伸縮起点部３を形成してもよい。さらに、上述した各実施形態では、所定幅を有するライン状・環状の連続的な伸縮起点部３を主に示しているが、伸縮起点部３は、一部が途切れていてもよく、破線状・点線状に断続的に配置してもよい。また、図２７に示すように、例えば円形の素材をドット状に所定の領域に配置することによって伸縮起点部３を形成してもよい。この場合、素材は円形に限られず、矩形、三角形、半円形、その他の形状であってもよい。
【０１２３】
なお、上記実施形態の下半身衣類１Ｂ〜１Ｅ、１Ｊ〜１Ｌ、１Ｑは、下端部が着用者の足首部までを覆うように形成される例を挙げているが、例えば、丈を短くしてもよい。より具体的には、下半身衣類１Ｂ〜１Ｅ、１Ｊ〜１Ｌ、１Ｐ、１Ｑそれぞれに設けられている伸縮起点部の下端部と同程度か、これよりも下方となる位置が下半身衣類の下端部、すなわち裾口となるようにしても良い。但し、足首部分まで覆うように下半身衣類を形成する方が、より広い範囲から皮膚を引き寄せることができるので好ましい。
【符号の説明】
【０１２４】
１（１Ａ〜１Ｗ）…下半身衣類
２…本体部
３（３Ａ〜３Ｗ）…伸縮起点部
３ａ…第１の起点部
３ｂ…第２の起点部
３ｃ…第３の起点部
３ｄ…第４の起点部
【図１】
2013199710.tif 000003
【図２】
2013199710.tif 000004
【図３】
2013199710.tif 000005
【図４】
2013199710.tif 000006
【図５】
2013199710.tif 000007
【図６】
2013199710.tif 000008
【図７】
2013199710.tif 000009
【図８】
2013199710.tif 000010
【図９】
2013199710.tif 000011
【図１０】
2013199710.tif 000012
【図１１】
2013199710.tif 000013
【図１２】
2013199710.tif 000014
【図１３】
2013199710.tif 000015
【図１４】
2013199710.tif 000016
【図１５】
2013199710.tif 000017
【図１６】
2013199710.tif 000018
【図１７】
2013199710.tif 000019
【図１８】
2013199710.tif 000020
【図１９】
2013199710.tif 000021
【図２０】
2013199710.tif 000022
【図２１】
2013199710.tif 000023
【図２２】
2013199710.tif 000024
【図２３】
2013199710.tif 000025
【図２４】
2013199710.tif 000026
【図２５】
2013199710.tif 000027
【図２６】
2013199710.tif 000028
【図２７】
2013199710.tif 000029
【図２８】
2013199710.tif 000030
【図２９】
2013199710.tif 000031
【図３０】
2013199710.tif 000032